(57)【特許請求の範囲】
【請求項１】
トラニオン軸の回転操作によって出力軸の回転数及び回転方向を変更可能な油圧式無段変速機におけるトラニオン軸の回転位置検出機構であって、
前記トラニオン軸に一側端部を相対回転不能に支持され、前記トラニオン軸回りの回転によって前記トラニオン軸を回転可能に構成される操作レバーと、
前記トラニオン軸に途中部を相対回転自在に支持される従動レバーと、
前記従動レバーの一側端部によって入切を切り替えられる検出スイッチと、を具備し、
前記操作レバーは、
途中部に前記操作レバーを操作するリンクが接続され、当該リンクによって所定の回転位置から一方向に回転されると他側端部が前記従動レバーの一側端部に接触して前記従動レバーを回転させて前記検出スイッチの入り切りを切り替え、前記リンクによって所定の回転位置から他方向に回転されると他側端部が前記従動レバーの一側端部から離間して前記従動レバーを回転させないトラニオン軸の回転位置検出機構。
【請求項２】
前記操作レバーの他側端部、または前記従動レバーの一側端部は、前記操作レバー、または前記従動レバーから取り外し可能に構成される請求項１に記載のトラニオン軸の回転位置検出機構。
【請求項３】
前記従動レバーの一側端部は、
接触ピンを具備し、前記接触ピンが前記操作レバーの他側端部に接触する請求項１又は請求項２に記載のトラニオン軸の回転位置検出機構。
【請求項４】
前記検出スイッチは、
押し込まれることで入り切りが切り替わる突出部を有し、
前記従動レバーは、
付勢部材によって前記突出部を押し込む方向に付勢され、前記操作レバーの回転によって前記突出部から離間する方向に回転される請求項１から請求項３のいずれか一項に記載のトラニオン軸の回転位置検出機構。
【請求項５】
前記検出スイッチは、
取り付け板を介して従動レバー近傍に配置されるとともに、
前記取り付け板は、
前記突出部の全てが押し込まれるまでに前記従動レバーが接触する請求項４に記載のトラニオン軸の回転位置検出機構。
【請求項６】
前記検出スイッチは、
前記突出部の押し込む方向にのみ往復移動可能に構成される押し込み部材を介して前記付勢部材に付勢される請求項４に記載のトラニオン軸の回転位置検出機構。
【発明の詳細な説明】
【技術分野】
【０００１】
本発明は、油圧式無段変速機（ＨＳＴ）のトラニオン軸の回転位置検出機構に関する。
【背景技術】
【０００２】
従来、トラニオン軸の回転操作によって出力軸の回転数及び回転方向を変更可能な油圧式無段変速機（ＨＳＴ）を備えた走行車両等が公知となっている。このような油圧式無段変速機を備えた走行車両においては、トラニオン軸を操作する操作具である速度変更ペダルの操作量を検出することでトラニオン軸の回転位置を検出する。具体的には、回転量に比例して一定の割合で出力値を増減させるポテンショメータを速度変更ペダルの回転支持軸に設けるものがある。例えば、特許文献１に記載の如くである。
【０００３】
しかし、特許文献１に開示されている技術は、速度変更ペダルの操作速度が遅いとポテンショメータの単位時間当たりの出力の増減が緩慢になる。一方、ポテンショメータの単位角度当たりの出力を増幅させるとノイズ等の外乱を受けやすくなる。特に、所定の回転位置を検出する場合、速度変更ペダルの操作速度やポテンショメータの設定によっては検出の遅れや誤検出などが生じることがあった。
【先行技術文献】
【特許文献】
【０００４】
【特許文献１】特開２０１０−２８０２８４号公報
【発明の概要】
【発明が解決しようとする課題】
【０００５】
本発明は以上の如き状況に鑑みてなされたものであり、簡易な構成で操作具の操作状態の影響を抑制してトラニオン軸の所定の回転位置を検出することができるトラニオン軸の回転位置検出機構の提供を目的とする。
【課題を解決するための手段】
【０００６】
即ち、請求項１においては、トラニオン軸の回転操作によって出力軸の回転数及び回転方向を変更可能な油圧式無段変速機におけるトラニオン軸の回転位置検出機構であって、前記トラニオン軸に一側端部を相対回転不能に支持され、前記トラニオン軸回りの回転によって前記トラニオン軸を回転可能に構成される操作レバーと、前記トラニオン軸に途中部を相対回転自在に支持される従動レバーと、前記従動レバーの一側端部によって入切を切り替えられる検出スイッチと、を具備し、前記操作レバーは、途中部に前記操作レバーを操作するリンクが接続され、当該リンクによって所定の回転位置から一方向に回転されると他側端部が前記従動レバーの一側端部に接触して前記従動レバーを回転させて前記検出スイッチの入り切りを切り替え、前記リンクによって所定の回転位置から他方向に回転されると他側端部が前記従動レバーの一側端部から離間して前記従動レバーを回転させない。
【０００７】
請求項２においては、前記操作レバーの他側端部、または前記従動レバーの一側端部は、前記操作レバー、または前記従動レバーから取り外し可能に構成される。
【０００８】
請求項３においては、前記従動レバーの一側端部は、接触ピンを具備し、前記接触ピンが前記操作レバーの他側端部に接触する。
【０００９】
請求項４においては、前記検出スイッチは、押し込まれることで入り切りが切り替わる突出部を有し、前記従動レバーは、付勢部材によって前記突出部を押し込む方向に付勢され、前記操作レバーの回転によって前記突出部から離間する方向に回転される。
【００１０】
請求項５においては、前記検出スイッチは、取り付け板を介して従動レバー近傍に配置されるとともに、前記取り付け板は、前記突出部の全てが押し込まれるまでに前記従動レバーが接触するストッパ部が形成される。
【００１１】
請求項６においては、前記検出スイッチは、前記突出部の押し込む方向にのみ往復移動可能に構成される押し込み部材を介して前記付勢部材に付勢される。
【発明の効果】
【００１２】
本発明の効果として、以下に示すような効果を奏する。
【００１３】
即ち、請求項１に係る発明によれば、操作レバーと従動レバーとがトラニオン軸で支持される。このため、操作レバーや従動レバーを支持する部材を別途設ける必要がない。また、操作レバーや従動レバーの形状によって検出スイッチの入り切りが切り替わる時期や検出感度を任意に決定することができる。このため、操作レバーの操作状態や検出スイッチの取り付け位置を任意に設定することができる。
【００１４】
請求項２に係る発明によれば、操作レバーの操作量に対する従動レバーの作動量を機構の構成を変更することなく容易に変更することができる。このため、メンテナンス性及び汎用性が向上する。
【００１５】
請求項３に係る発明によれば、操作レバーと従動レバーとが離間していても接触ピンを介して操作レバーと従動レバーとを接触させることができる。このため、操作レバーと従動レバーの配置が容易になる。
【００１６】
請求項４に係る発明によれば、操作レバーからの力によって検出スイッチが押し込まれることがない。このため、操作レバーの操作による検出スイッチの破損が抑制される。
【００１７】
請求項５に係る発明によれば、付勢部材の付勢力が全て検出スイッチに加わることがない。このため、付勢部材の付勢力による検出スイッチの破損が抑制される。
【００１８】
請求項６に係る発明によれば、検出スイッチの突出部にモーメントが加わることがない。このため、検出スイッチの破損が抑制される。
【図面の簡単な説明】
【００１９】
【図１】本発明の一実施形態に係るトラニオン軸の検出機構と油圧式無段変速機（ＨＳＴ）との構成を示す概略図。
【図２】（ａ）本発明の一実施形態に係るトラニオン軸の検出機構の側面図、（ｂ）同じくトラニオン軸の検出機構の（ａ）におけるＡ矢視図、（ｃ）同じくトラニオン軸の検出機構の従動レバーが検出スイッチを押し込んでいる状態を示す（ａ）におけるＢ矢視図。
【図３】（ａ）本発明の一実施形態に係る前進ペダルが踏み込まれた場合のトラニオン軸の検出機構を示す側面図、（ｂ）同じく後進ペダルが踏み込まれ、検出スイッチの入りきりが切り替わった際のトラニオン軸の検出機構を示す側面図、（ｃ）同じく後進ペダルが踏み込まれ、検出スイッチの突出部から従動レバーが離間した状態のトラニオン軸の検出機構を示す側面図。
【図４】本発明の一実施形態に係るトラニオン軸の検出機構の操作レバーと従動レバーの回転位置の関係を表す図。
【図５】本発明に係る別実施形態に係るトラニオン軸の検出機構の側面図。
【発明を実施するための形態】
【００２０】
以下では、油圧式無段変速機に装着されたトラニオン軸の回転位置検出機構及びトラクター等の走行車両の操作具の全体的な構成について、図１及び図２を参照して説明する。
【００２１】
油圧式無段変速機１は、エンジン等からの回転動力を作動油を介して無段階に変速して出力する。油圧式無段変速機１は、トラニオン軸２を有する図示しない可変容量型の油圧ポンプと定容量型の油圧モータを具備する油圧式無段変速機１（ＨＳＴ）である（以下、単に「ＨＳＴ１」と記す）。
【００２２】
可変容量型の油圧ポンプは、トラニオン軸２の軸回りの回転操作によって図示しない斜板の角度を変更することができる。すなわち、ＨＳＴ１は、トラニオン軸２の回転位置によって油圧モータ（ＨＳＴ１）の出力軸３の回転を一方向への回転、他方向への回転、又は回転停止に切り替え可能に構成される。なお、本実施形態において、油圧式無段変速機をＨＳＴ１としたがこれに限定されるものではない。
【００２３】
図１に示すように、ＨＳＴ１のトラニオン軸２には、操作レバー１１が固定支持される。つまり、操作レバー１１は、一側端部がトラニオン軸２に固定されて上方に突出され、トラニオン軸２を回転中心としてトラニオン軸２と一体的に回転可能に構成される。従って、トラニオン軸２は、操作レバー１１が回転操作されることで操作レバー１１と同一の方向に回転される。トラニオン軸２は、時計回りに回転されると、ＨＳＴ１の出力軸３が一方向（前進方向）に回転し、反時計回りに回転されると、ＨＳＴ１の出力軸３が他方向（後進方向）に回転される。操作レバー１１は、後述するトラニオン軸の回転位置検出機構１０の一部を構成する。
【００２４】
走行車両の操作具は、走行車両を前進又は後進させる際に操作される。操作具は、前進ペダル４と後進ペダル６とから構成される。
【００２５】
前進ペダル４は、走行車両を前進させる際に一側端部に構成される踏み込み部４ａが踏み込み操作される。前進ペダル４は、他側端部が前進ペダル支持軸５によって回転自在に支持される。前進ペダル４の他側端部には、第一レバー部４ｂと第二レバー部４ｃとが前進ペダル４と一体的に形成される。第一レバー部４ｂは、リンク８を介してトラニオン軸２の操作レバー１１と接続される。第一レバー部４ｂは、前進ペダル４の踏み込み部４ａが踏み込まれると（図１における黒矢印方向）、前進ペダル支持軸５を回転中心として操作レバー１１から離間する方向に回転するように構成される。すなわち、前進ペダル４は、踏み込み部４ａが踏み込まれると操作レバー１１を時計回りに回転させる。
【００２６】
後進ペダル６は、走行車両を後進させる際に一側端部に構成される踏み込み部６ａが踏み込み操作される。後進ペダル６は、他側端部が後進ペダル支持軸７によって回転自在に支持される。また、後進ペダル６の他側端部には、後進レバー部６ｂが後進ペダル６と一体的に形成される。後進レバー部６ｂは、前進ペダル４の第二レバー部４ｃと接触するように構成される。すなわち、前進ペダル４と後進ペダル６とは、第二レバー部４ｃ及び後進レバー部６ｂによって連動するように構成される。後進レバー部６ｂは、後進ペダル６の踏み込み部６ａが踏み込まれると（図１における白矢印方向）、後進ペダル支持軸７を回転中心として第二レバー部４ｃに近接する方向に回転するように構成される。前進ペダル４は、第二レバー部４ｃが後進レバー部６ｂによって押されることで第一レバー部４ｂがトラニオン軸２の操作レバー１１に近接する方向に回転するように構成される。すなわち、後進ペダル６は、踏み込み部６ａが踏み込まれると操作レバー１１を反時計回り（図１における白矢印方向）に回転させる。
【００２７】
前進ペダル４及び後進ペダル６が踏み込まれない場合、トラニオン軸２の操作レバー１１は回転されない。この際、ＨＳＴ１の出力軸３が停止するように操作レバー１１がトラニオン軸２に配置される。すなわち、前進ペダル４も後進ペダル６も踏み込まれない場合、トラニオン軸２の回転位置は、ＨＳＴ１の出力軸３が停止する中立位置になるように構成される。但し、操作具は前進ペダル４と後進ペダル６を一体的に構成したシーソー式のペダルで構成することも可能であり限定するものではない。
【００２８】
図１及び図２に示すように、トラニオン軸の回転位置検出機構１０は、トラニオン軸２の回転位置を検出する。トラニオン軸の回転位置検出機構１０は、主に操作レバー１１、従動レバー１３、検出スイッチ１７等を具備する。
【００２９】
操作レバー１１は、ＨＳＴ１のトラニオン軸２を回転する。操作レバー１１は、一側端部がトラニオン軸２に一体的に支持される。操作レバー１１の途中部には、走行車両の前進ペダル４と接続されるリンク８が接続される。このように構成することで、トラニオン軸２とは別に第一支持軸を設ける場合にくらべて構成を簡易にすることができる。さらに、操作レバー１１の他側端部には、反リンク８側の端面に接触部１２が形成される。なお、本実施形態において、操作レバー１１の接触部１２は、操作レバー１１と一体的に形成される構成したが、これに限定されるものではなく、操作レバー１１に接触部１２が取り外し自在に設けられる構成としてもよい。
【００３０】
操作レバー１１は、走行車両の前進ペダル４が踏み込まれた場合、すなわち、前進ペダル４の回転によってリンク８が前方向に移動された場合、トラニオン軸２を回転中心として時計回りに回転されるように構成される。また、操作レバー１１は、走行車両の後進ペダル６が踏み込まれた場合、すなわち、後進ペダル６の回転によってリンク８が後方向に移動された場合、トラニオン軸２回りにトラニオン軸２を回転中心として反時計回りに回転されるように構成される。
【００３１】
従動レバー１３は、後述の検出スイッチ１７を入り切りする。従動レバー１３は、途中部がトラニオン軸２に回転自在に支持される。つまり、操作レバー１１と従動レバー１３とは、隣り合うようにしてトラニオン軸２に配置される。従動レバー１３は、トラニオン軸２をはさんで一側端が操作レバー１１側に配置され、他側端が検出スイッチ１７側に配置される。図２（ａ）及び図２（ｂ）に示すように、従動レバー１３の一側端部には、接触ピン１４が操作レバー１１に向けて伸びるように設けられる。接触ピン１４は、その曲面の側部が操作レバー１１の接触部１２に接触可能な長さに構成される。従動レバー１３他側端部は、リンク８が配置されている側の端面が折り曲げられて後述の検出スイッチ１７等と接触可能な折り曲げ部１５が形成される。従動レバー１３は、付勢部材となるばねで構成される引っ張りばね１６によって他側端部が検出スイッチ１７に近接する方向に付勢されている。なお、本実施形態において、接触ピン１４は、従動レバー１３の一側端部に固定されるものに限らず従動レバー１３から取り外し自在に構成してもよい。
【００３２】
検出スイッチ１７は、トラニオン軸２の位置を検出する。検出スイッチ１７は、押し込み操作が可能な突出部１７ａを有する。検出スイッチ１７は、突出部１７ａを押し込むことで入り切りが切り替わるように構成される。検出スイッチ１７は、取り付け板１８を介してトラニオン軸２との距離が変動しないＨＳＴ１のケース等に取り付けられる。この際、検出スイッチ１７は、突出部１７ａが取り付け板１８からはみ出して配置される。検出スイッチ１７は、突出部１７ａのはみ出し量が入り切りを切り替えるために必要な押し込み量以上であって突出部１７ａの最大押し込み量未満になるように配置される。
【００３３】
取り付け板１８は、従動レバー１３の折り曲げ部１５と接触可能なようにＨＳＴ１のケース等に取り付けられる。つまり、取り付け板１８は、従動レバー１３の回動ストッパとなるように構成される。取り付け板１８には、長孔１８ａが形成される。取り付け板１８は、長孔１８ａにボルト等が挿入されて取り付けられている。これにより、検出スイッチ１７の取り外しや従動レバー１３に対する検出スイッチ１７の位置調整を容易に行うことができる。つまり、検出スイッチ１７の取り付け位置を調整可能とすることで、トラニオン軸２又は操作レバー１１の回転位置に対する検出スイッチ１７の組み立て精度及びメンテナンス性を向上させることができる。
【００３４】
図２（ｃ）に示すように、検出スイッチ１７及び取り付け板１８は、トラニオン軸２の回転位置が中立位置である場合に従動レバー１３の折り曲げ部１５が取り付け板１８と接触する位置に配置される。これにより、トラニオン軸２の回転位置が中立位置である場合に、検出スイッチ１７の突出部１７ａが取り付け板１８からはみ出した量だけ折り曲げ部１５によって押し込まれるように構成される。この状態で検出スイッチ１７は「入」（または「切」）となっている。加えて、従動レバー１３は、取り付け板１８と接触することで時計回りの回転が規制される。この際、検出スイッチ１７は、ケーブル側が下方を向くように配置されることが望ましい。このように配置することで、結露等が生じた場合、配線部分に水分が溜まって、検出スイッチ１７側に流れ、短絡等が生じることを防止することができる。
【００３５】
図２（ａ）に示すように、従動レバー１３は、操作レバー１１が反時計周りに回転された場合、すなわち、操作レバー１１の接触部１２が従動レバー１３の接触ピン１４に近接する方向に移動された場合、トラニオン軸２を回転中心として反時計周りに回転されるように構成される。これにより、従動レバー１３は、折り曲げ部１５が取り付け板１８と接触している回転位置γ０から操作レバー１１の形状や従動レバー１３の形状によって規定される回転位置γ２まで回転される。
【００３６】
また、従動レバー１３は、前記の状態から操作レバー１１が時計周りに回転された場合、すなわち、操作レバー１１の接触部１２が従動レバー１３の接触ピン１４から離間する方向に移動された場合、トラニオン軸２を回転中心として時計周りに回転されるように構成される。これにより、従動レバー１３は、操作レバー１１の形状や従動レバー１３の形状によって規定される回転位置γ２から折り曲げ部１５が取り付け板１８と接触する回転位置γ０まで回転される。
【００３７】
図２（ａ）及び図２（ｃ）に示すように、従動レバー１３は、操作レバー１１が回転位置θ０（中立位置）から時計周りに回転位置θ１まで（前進方向に）移動された場合、取り付け板１８によって回転を規制されて回転位置γ０から移動されない。この際、従動レバー１３は、引っ張りばね１６の付勢力によって検出スイッチ１７の突出部１７ａを押し込んでいる。また、従動レバー１３は、取り付け板１８の規制により検出スイッチ１７の突出部１７ａを最大押し込み量まで押し込むことがない。従って、検出スイッチ１７の押し壊しを抑制することができる。
【００３８】
以上の如く構成されるトラニオン軸の回転位置検出機構１０において、トラニオン軸２を操作する操作レバー１１は、前進ペダル４によって回転位置θ０から回転位置θ１までの範囲内で回転可能に構成され、従動レバー１３は、回転位置γ０から移動しないように構成される。また、操作レバー１１は、後進ペダル６によって回転位置θ０から回転位置θ２までの範囲内において回転可能に構成され、従動レバー１３は、回転位置γ０から回転位置γ２までの範囲内において回転可能に構成される。
【００３９】
以下では、このような構成のトラニオン軸の回転位置検出機構１０について、前進ペダル４及び後進ペダル６が操作された場合の動作態様を図２から図４を用いて説明する。
【００４０】
前進ペダル４及び後進ペダル６が踏み込み操作されない場合、操作レバー１１は、回転移動されない。この結果、図２（ａ）に示すように、操作レバー１１は回転位置θ０に配置され、トラニオン軸２の回転位置は中立位置となる。従って、操作レバー１１は、その接触部１２が従動レバー１３の接触ピン１４に接触して停止している。
【００４１】
一方、操作レバー１１が回転位置θ０において停止しているので、従動レバー１３は回転移動されない。この結果、従動レバー１３は、図２（ｃ）に示すように、その折り曲げ部１５が取り付け板１８に接触するように引っ張りばね１６に付勢されて回転位置γ０に配置された状態を維持する。従って、検出スイッチ１７は、その突出部１７ａが従動レバー１３の折り曲げ部１５によって押し込まれている。
【００４２】
図３（ａ）に示すように、前進ペダル４を踏み込み操作した場合、操作レバー１１は、時計回り（図３（ａ）における黒矢印方向）に回転移動される。この結果、操作レバー１１は、回転位置θ０から回転位置θ１までの範囲内に配置される。また、トラニオン軸２の回転位置は、ＨＳＴ１の出力軸３を停止させる中立位置からＨＳＴ１の出力軸３（図１参照）を一方向（前進方向）に回転させる回転位置となる。従って、操作レバー１１は、その接触部１２が従動レバー１３の接触ピン１４から離間する。
【００４３】
一方、操作レバー１１が従動レバー１３から離間する方向に回転位置θ０から回転移動するので従動レバー１３は回転移動されない。この結果、従動レバー１３は、その折り曲げ部１５が取り付け板１８に接触するように引っ張りばね１６に付勢されて回転位置γ０に配置された状態を維持する（図２（ｃ）参照）。従って、検出スイッチ１７は、その突出部１７ａが従動レバー１３の折り曲げ部１５によって押し込まれている。
【００４４】
前進ペダル４を踏み込まない状態に戻した場合、操作レバー１１は、反時計回り（図３（ａ）における反黒矢印方向）に回転移動される。この結果、操作レバー１１は、回転位置θ０に配置される。また、トラニオン軸２の回転位置は、ＨＳＴ１の出力軸３（図１参照）を停止させる中立位置となる。従って、操作レバー１１は、その接触部１２が従動レバー１３の接触ピン１４に接触する。
【００４５】
一方、操作レバー１１が従動レバー１３の接触ピン１４に接触する回転位置θ０まで回転移動するので従動レバー１３は回転移動されない。この結果、従動レバー１３は、その折り曲げ部１５が取り付け板１８に接触するように引っ張りばね１６に付勢されて回転位置γ０に配置された状態を維持する。従って、検出スイッチ１７は、その突出部１７ａが従動レバー１３の折り曲げ部１５によって押し込まれている。
【００４６】
図３（ｂ）及び図３（ｃ）に示すように、後進ペダル６を踏み込み操作した場合、操作レバー１１は、反時計回り（図３（ｂ）及び図３（ｃ）における白矢印方向）に回転移動される。この結果、操作レバー１１は、回転位置θ０から回転位置θ２までの範囲内に配置される。また、トラニオン軸２の回転位置は、ＨＳＴ１の出力軸３を停止させる中立位置からＨＳＴ１の出力軸３を他方向（後進方向）に回転させる回転位置となる。従って、操作レバー１１は、その接触部１２が従動レバー１３の接触ピン１４と接触しつつ回転移動される。
【００４７】
一方、操作レバー１１の接触部１２が従動レバー１３の接触ピン１４に接触された状態で従動レバー１３に向かって回転位置θ０から回転移動するので、従動レバー１３は反時計回り（図３（ｂ）及び図３（ｃ）における白矢印方向）に回転移動される。この際、従動レバー１３は、図４に示すように、操作レバー１１の形状や従動レバー１３の形状によって設定されている操作レバー１１の回転位置に対する従動レバー１３の回転位置の関係に従って回転移動される。この結果、従動レバー１３は、回転位置γ０から回転位置γ２までの範囲内に配置される。
【００４８】
具体的には、図３（ｂ）及び図４に示すように、操作レバー１１が回転位置θ０から回転位置θ３まで回転移動する間に従動レバー１３が回転位置γ０から回転位置γ３まで回転移動するように操作レバー１１の形状や従動レバー１３の形状が設定される。従動レバー１３の回転位置γ３は、検出スイッチ１７の入り切りが切り替わる位置である。
【００４９】
従って、検出スイッチ１７は、従動レバー１３が回転位置γ０から回転位置γ３まで回転移動されたときに、入り切りが切り替えられる。つまり、操作レバー１１（後進ペダル６）に対する検出スイッチ１７の検出感度は、操作レバー１１の形状や従動レバー１３の形状によって任意に設定することができる。また、走行車両の機種に関わらず検出スイッチ１７の検出感度や検出時期を任意に設定することができる。さらに、後進ペダル６の操作感を操作レバー１１の形状や従動レバー１３の形状によって任意に設定することができる。
【００５０】
後進ペダル６を踏み込まない状態に戻した場合、操作レバー１１は、時計回り（図３（ｂ）及び図３（ｃ）における反白矢印方向）に回転移動される。この結果、操作レバー１１は、回転位置θ０に配置される。また、トラニオン軸２の回転位置は、ＨＳＴ１の出力軸３を停止させる中立位置となる。従って、操作レバー１１は、その接触部１２が従動レバー１３の接触ピン１４から離間する方向に回転移動する。この際、従動レバー１３は、引っ張りばね１６の付勢力により接触ピン１４が操作レバー１１の接触部１２に接触した状態が維持される。つまり、操作レバー１１は、その接触部１２が接触ピン１４と接触しつつ回転移動される。
【００５１】
一方、操作レバー１１の接触部１２が従動レバー１３の接触ピン１４に接触された状態で従動レバー１３から離間する方向に回転位置θ０まで回転移動するので、従動レバー１３は時計回り（図３（ｂ）及び図３（ｃ）における反白矢印方向）に回転移動される。この際、従動レバー１３は、図４に示すように、操作レバー１１の形状や従動レバー１３の形状によって設定されている操作レバー１１の回転位置に対する従動レバー１３の回転位置の関係に従って回転移動される。この結果、従動レバー１３は、回転位置γ０に配置される。
【００５２】
上述の通り、検出スイッチ１７に作用する外力は、突出部１７ａが押し込まれる場合における引っ張りばね１６の付勢力のみである。従って、検出スイッチ１７の入り切りの切り替えが、前進ペダル４及び後進ペダル６の操作状態に影響されることがない。この結果、検出スイッチ１７の押し込み操作時の誤作動を抑制することができる。また、前進ペダル４及び後進ペダル６の操作力が検出スイッチ１７に加わらないので検出スイッチ１７の破損を抑制することができる。
【００５３】
なお、本実施形態において、トラニオン軸の回転位置検出機構１０は、操作レバー１１が回転位置θ３に回転移動された場合に検出スイッチ１７が入り切りを切り替えるように構成されているがこれに限定するものではない。操作レバー１１の接触部１２の形状や操作レバー１１の形状や従動レバー１３の形状を変更することで検出スイッチ１７の切り替え時期を所望の時期に設定することができる。
【００５４】
以上の如く、トラニオン軸２の回転操作によって出力軸３の回転数及び回転方向を変更可能な油圧式無段変速機におけるトラニオン軸の回転位置検出機構１０であって、トラニオン軸２に一側端部を相対回転不能に支持され、トラニオン軸２回りの回転によってトラニオン軸２を回転可能に構成される操作レバー１１と、トラニオン軸２に途中部を相対回転自在に支持される従動レバー１３と、従動レバー１３の一側端部によって入切を切り替えられる検出スイッチ１７と、を具備し、操作レバー１１は、途中部に操作レバー１１を操作するリンク８が接続され、リンク８によって所定の回転位置θ０から一方向に回転されると他側端部（接触部１２）が従動レバー１３の一側端部（接触ピン１４）に接触して従動レバー１３を回転させて検出スイッチ１７の入り切りを切り替え、リンク８によって所定の回転位置γ０から他方向に回転されると他側端部が従動レバー１３の一側端部から離間して従動レバー１３を回転させない。
このように構成することで、操作レバー１１と従動レバー１３がトラニオン軸２で支持される。このため、操作レバー１１や従動レバー１３を支持する部材を別途設ける必要がない。また、操作レバー１１や従動レバー１３レバーの形状によって検出スイッチ１７の入り切りが切り替わる時期や検出感度を任意に決定することができる。このため、操作レバー１１の操作状態や検出スイッチ１７の取り付け位置を任意に設定することができる。
【００５５】
また、操作レバー１１の他側端部（接触部１２）、または従動レバー１３の一側端部（接触ピン１４）は、操作レバー１１または従動レバー１３から取り外し可能に構成される。
このように構成することで、操作レバー１１の操作量に対する従動レバー１３の作動量を機構の構成を変更することなく容易に変更することができる。このため、メンテナンス性及び汎用性が向上する。
【００５６】
また、従動レバー１３の一側端部は、接触ピン１４を具備し、接触ピン１４が操作レバー１１の他側端部（接触部１２）に接触する。
このように構成することで、操作レバー１１と従動レバー１３とが離間していても接触ピン１４を介して操作レバー１１と従動レバー１３とを接触させることができる。このため、操作レバー１１と従動レバー１３の配置が容易になる。
【００５７】
また、検出スイッチ１７は、押し込まれることで入り切りが切り替わる突出部１７ａを有し、従動レバー１３は、引っ張りばね１６によって突出部１７ａを押し込む方向に付勢され、操作レバー１１の回転によって突出部１７ａから離間する方向に回転される。
このように構成することで、操作レバー１１からの力によって検出スイッチ１７が押し込まれることがない。このため、操作レバー１１の操作による検出スイッチ１７の破損が抑制される。
【００５８】
また、検出スイッチ１７は、取り付け板１８を介して従動レバー１３近傍に配置されるとともに、取り付け板１８は、突出部１７ａの全てが押し込まれるまでに従動レバー１３が接触する。
このように構成することで、引っ張りばね１６の付勢力が全て検出スイッチ１７に加わることがない。このため、引っ張りばね１６の付勢力による検出スイッチ１７の破損が抑制される。
【００５９】
以下では、図５を用いて、本発明に係るトラニオン軸の回転位置検出機構の別実施形態であるトラニオン軸の回転位置検出機構２０について説明する。なお、以下の実施形態において、既に説明した実施形態と同様の点に関してはその具体的説明を省略し、相違する部分を中心に説明する。
【００６０】
図５に示すように、トラニオン軸の回転位置検出機構２０は、主に操作レバー１１、従動レバー１３、検出スイッチ１７、押し込みガイド２１等を具備する。
【００６１】
押し込みガイド２１は、検出スイッチ１７の突出部１７ａを押し込む。押し込みガイド２１は、押し込み部２２、案内部２３、圧縮ばね２４を具備する。押し込み部２２は、円柱状の部材から構成される。案内部２３には、押し込み部２２を隙間なく摺動自在に挿入可能な孔２３ａが形成される。押し込み部２２は、案内部２３の孔２３ａに挿入され軸方向にのみ移動自在に支持される。
【００６２】
押し込みガイド２１は、押し込み部２２の一側端部の軸心が検出スイッチ１７の突出部１７ａの中心に接触するように配置される。あわせて、押し込みガイド２１は、押し込み部２２の軸方向が検出スイッチ１７の突出部１７ａの押し込み方向に一致するように配置される。さらに、押し込みガイド２１は、従動レバー１３の折り曲げ部１５が押し込み部２２の他側端部に接触するように配置される。この際、押し込みガイド２１は、従動レバー１３の折り曲げ部１５が押し込み部２２の他側端部を押し込むことで検出スイッチ１７の突出部１７ａを入り切りが切り替わる位置まで押し込むように構成される。また、押し込みガイド２１は、圧縮ばね２４によって押し込み部２２が突出部１７ａから離間する方向に付勢される。
【００６３】
以下では、このような構成のトラニオン軸の回転位置検出機構２０について、後進ペダル６が操作された場合の動作態様を図５を用いて説明する。
【００６４】
図５（ａ）に示すように、後進ペダル６を踏み込み操作した場合、操作レバー１１は、反時計回り（図５（ａ）における白矢印方向）に回転移動される。従って、操作レバー１１は、その接触部１２が従動レバー１３の接触ピン１４と接触しつつ回転移動される。
【００６５】
一方、操作レバー１１の接触部１２が従動レバー１３の接触ピン１４に接触された状態で従動レバー１３に向かってに回転移動するので従動レバー１３は反時計回り（図５（ａ）における白矢印方向）に回転移動される。従動レバー１３は、操作レバー１１の形状や従動レバー１３の形状によって設定されている操作レバー１１の回転位置に対する従動レバー１３の回転位置の関係に従って回転移動される。
【００６６】
従動レバー１３は、押し込みガイド２１の押し込み部２２の他側端部から離間する方向に回転移動される。この結果、押し込みガイド２１部の圧縮ばね２４の付勢力によって、押し込み部２２が検出スイッチ１７の突出部１７ａから離間する方向に移動される。従って、検出スイッチ１７は、従動レバー１３が所定の回転位置まで反時計まわりに回転移動されたときに、入り切りの切り替えを検出する。
【００６７】
図５（ｂ）に示すように、後進ペダル６を踏み込まない状態に戻した場合、操作レバー１１は、時計回り（図５（ｂ）における黒矢印方向）に回転移動される。従って、操作レバー１１は、その接触部１２が従動レバー１３の接触ピン１４と接触しつつ回転移動される。
【００６８】
一方、操作レバー１１の接触部１２が従動レバー１３の接触ピン１４に接触された状態で従動レバー１３から離間する方向に回転移動するので、従動レバー１３は時計回り（図５（ｂ）における黒矢印方向）に回転移動される。従動レバー１３は、操作レバー１１の形状や従動レバー１３の形状によって設定されている操作レバー１１の回転位置に対する従動レバー１３の回転位置の関係に従って回転移動される。
【００６９】
従動レバー１３は、押し込みガイド２１の押し込み部２２の他側端部に近接する方向に回転移動される。この結果、従動レバー１３の引っ張りばね１６の付勢力によって、押し込み部２２が検出スイッチ１７の突出部１７ａに近接する方向に移動される。つまり、検出スイッチ１７は、押し込み部２２を介して引っ張りばね１６の付勢力によって突出部１７ａが押し込まれる、従って、検出スイッチ１７は、従動レバー１３が所定の回転位置まで時計回りに回転移動されたときに、入り切りの切り替えを検出する。
【００７０】
押し込みガイド２１は、トラニオン軸２回りに回転移動する従動レバー１３によって押し込み部２２が押し込まれる。このため、押し込みガイド２１には、従動レバー１３からのモーメントが加わる。しかし、押し込み部２２は、押し込みガイド２１の案内部２３によってその軸方向にのみ移動自在に支持される。つまり、押し込み部２２は、モーメントが加わっても検出スイッチ１７の突出部１７ａの押し込み方向にしか移動されない。従って、押し込み部２２によって押し込まれる突出部１７ａには、従動レバー１３からのモーメントが加わらない。
【００７１】
以上の如く、検出スイッチ１７は、突出部１７ａの押し込む方向にのみ往復移動可能に構成される押し込み部２２材を介して圧縮ばね２４に付勢される。
このように構成することで、検出スイッチ１７の突出部１７ａにモーメントが加わることがない。このため、検出スイッチ１７の破損が抑制される。
【符号の説明】
【００７２】
１    油圧式無段変速機
２    トラニオン軸
３    出力軸
８    リンク
１０    トラニオン軸の回転位置検出機構
１１    操作レバー
１３    従動レバー
１８    検出スイッチ
【図１】
0005806126.tif 000002
【図２】
0005806126.tif 000003
【図３】
0005806126.tif 000004
【図４】
0005806126.tif 000005
【図５】
0005806126.tif 000006